(57)【要約】【課題】複数の撮像部を有し、静止画・動画の同時撮影時に、最適な合焦動作を行うことが可能な撮像装置を提供すること。【解決手段】第１撮像手段（４）による静止画撮影動作と、第２撮像手段（５）による動画撮影動作を同時行うことが可能であり、前記半透過ミラー（３）の移動に伴い前記第２撮像手段（５）の撮影領域を変化させる制御を行うことを特徴とする構成とした。【選択図】図２
2017118214.tif 000002
【特許請求の範囲】
【請求項１】
撮影レンズユニット（２）と、前記撮影レンズユニット（２）に含まれ、ピント合わせを行うためのフォーカスレンズ（３０）を光軸方向に駆動するレンズ駆動手段３１と、
前記撮影レンズユニット（２）から入射した光束の一部を透過し、残りの光束を反射させることで光束を分割する、半透過ミラー（３）と、前記半透過ミラー（３）を光軸方向に駆動するミラー駆動手段（１７）と、
前記半透過ミラー（３）を透過した光束を受光する第１撮像手段（４）と、前記半透過ミラー（３）で反射した光束を受光する第２撮像手段（５）と、を有する撮像装置において、
前記撮像装置はさらに、前記フォーカスレンズ（３０）の位置を取得するレンズ位置情報取得手段（３２）と、前記半透過ミラー（３）の位置を取得するミラー位置情報取得手段（３３）と、
前記フォーカスレンズ（３０）の位置を制御するレンズ位置制御手段１５と、前記半透過ミラー（３）の位置を制御するミラー位置制御手段１５とをさらに備え、
前記撮像装置は、前記第１撮像手段（４）による静止画撮影と、前記第２撮像手段（５）による動画撮影を同時に行うことが可能であり、前記半透過ミラー（３）の移動に伴い前記第２撮像手段（５）の撮影領域を変化させる制御を行うことを特徴とする撮像装置。
【請求項２】
前記第１撮像手段（４）と前記第２撮像手段（５）の同時測距中に、前記フォーカスレンズ（３０）の移動に伴い、前記フォーカスレンズ（３０）の移動による合焦面の変化を打ち消しながら、前記第２撮像手段（５）の測距動作を行うように前記半透過ミラー（３）を移動させ、前記半透過ミラー（３）の移動に伴い前記第２撮像手段（５）の撮影領域を変化させる制御を行うことを特徴とする請求項１に記載の撮像装置。
【請求項３】
前記第１撮像手段（４）と前記第２撮像手段（５）の同時駆動終了後に、前記半透過ミラー（３）を駆動可能範囲の中央（ａ１）に移動させ、前記半透過ミラー（３）の移動による前記第２撮像手段（５）の合焦面の変化を打ち消すようにフォーカスレンズ（３０）移動させることを特徴とする請求項１又は請求項２に記載の撮像装置。
【請求項４】
第１撮像手段（４）の垂直な辺（４ａ）を水平な辺（４ｂ）で割った値よりも、第２撮像手段（５）の撮影光軸方向に平行な辺（５ｄ）を水平な辺（５ｃ）で割った値ほうが大きいことを特徴とする請求項１乃至請求項３の何れか一項に記載の撮像装置。
【発明の詳細な説明】
【技術分野】
【０００１】
本発明は、静止画や動画を撮像可能な撮像装置に関する。
【背景技術】
【０００２】
被写体像を電気信号に変換して撮像するデジタルカメラ等の撮像装置では、撮影光束を撮像素子で受光し、その撮像素子から出力される光電変換信号を画像データに変換して、メモリカード等の記録媒体に記録する。撮像素子としては、ＣＣＤ(Charge Coupled Device)やＣＭＯＳセンサ(Complementary Metal Oxide Semiconductor)等が用いられる。
【０００３】
１つの撮像素子を用いて、静止画像および動画像の撮影を行うことは可能であるが、両画像を同時に得たい場合、画素読み出し処理の違いや最適な撮影条件が異なるため、静止画像の撮影中は動画像を一時的に中断する必要があった。
【０００４】
それを解決するために、特許文献１により提案されているように、第１の撮像部と第２の撮像部をもち、第１の撮像部で静止画撮影、第２の撮像部で動画撮影を行うという手法がある。また、特許文献２には、光軸上ミラー後方に配置された第１の撮像素子と、ミラー上方に配置された第２の撮像素子を有し、ミラーを光軸方向に移動させ光路長を変化させることで、ミラーの上方に配置された撮像素子の合焦位置を変化させることが記載されている。
【先行技術文献】
【特許文献】
【０００５】
【特許文献１】特開２０１２−２３１１９７号公報
【特許文献２】特開２００５−９９６０８号公報
【発明の概要】
【発明が解決しようとする課題】
【０００６】
上記の特許文献１、２の組み合わせにより、図１１に示すような、光軸方向に駆動する半透過ミラー３の上方に第１撮像手段４、半透過ミラー３の後方に第２撮像手段５を配置し、半透過ミラー３を光軸方向に移動させ、動画と静止画で異なる位置に合焦動作を行うことが可能な撮像装置が考えられる。
【０００７】
しかしながら、上述の撮像装置では、フォーカスレンズによる合焦動作は動画と静止画の両方の合焦動作に影響し、各撮像素子の測距動作を独立して行えないため、動画と静止画それぞれで最適な測距動作を行うことが出来ない。さらに、半透過ミラーを光軸方向に移動させて合焦動作を行うと、半透過ミラーの上方に配置された撮像素子で撮影される被写体の位置が動いてしまうという問題がある。
【０００８】
そこで、本発明の目的は、静止画・動画の同時撮影時に、最適な合焦動作を行うことが可能な撮像装置を提供することにある。
【課題を解決するための手段】
【０００９】
上記の目的を達成するために、本発明に係る撮像装置は、
撮影レンズユニット（２）と、前記撮影レンズユニット（２）に含まれ、ピント合わせを行うためのフォーカスレンズ（３０）を光軸方向に駆動するレンズ駆動手段３１と、
前記撮影レンズユニット（２）から入射した光束の一部を透過し、残りの光束を反射させることで光束を分割する、半透過ミラー（３）と、前記半透過ミラー（３）を光軸方向に駆動するミラー駆動手段（１７）と、
前記半透過ミラー（３）を透過した光束を受光する第１撮像手段（４）と、前記半透過ミラー（３）で反射した光束を受光する第２撮像手段（５）と、を有する撮像装置において、
前記撮像装置はさらに、前記フォーカスレンズ（３０）の位置を取得するレンズ位置情報取得手段（３２）と、前記半透過ミラー（３）の位置を取得するミラー位置情報取得手段（３３）と、
前記フォーカスレンズ（３０）の位置を制御するレンズ位置制御手段１５と、前記半透過ミラー（３）の位置を制御するミラー位置制御手段１５とをさらに備え、
前記撮像装置は、前記第１撮像手段（４）による静止画撮影と、前記第２撮像手段（５）による動画撮影を同時に行うことが可能であり、前記半透過ミラー（３）の移動に伴い前記第２撮像手段（５）の撮影領域を変化させる制御を行うことを特徴とする。
【発明の効果】
【００１０】
本発明によれば、複数の撮像部を有し、静止画・動画の同時撮影時に、最適な合焦動作を行うことが可能な撮像装置を提供することができる。
【図面の簡単な説明】
【００１１】
【図１】本実施形態におけるカメラ１の一例の正面・背面斜視図である。
【図２】本実施形態におけるカメラ１の一例の主要電気回路構成を示すブロック図である。
【図３】本実施形態におけるカメラ１の一例の撮像装置のミラー位置と第２撮像手段５の撮影領域の対応関係を示す、撮影光軸における中央断面図である。
【図４（ａ）】本実施形態におけるカメラ１の一例の動作を示したフローチャートである。
【図４（ｂ）】本実施形態におけるカメラ１の一例の動作を示したフローチャートである。
【図４（ｃ）】本実施形態におけるカメラ１の一例の動作を示したフローチャートである。
【図４（ｄ）】本実施形態におけるカメラ１の一例の動作を示したフローチャートである。
【図５】本実施形態におけるカメラ１の一例の静止画撮影モード、動画撮影モードにおける表示装置上の画面表示を示す図である。
【図６】本実施形態におけるカメラ１の一例の静止画測距時のフォーカスレンズ３０と半透過ミラー３の動きを示す図である。
【図７】本実施形態におけるカメラ１の一例の動画測距時のフォーカスレンズ３０と半透過ミラー３の動きを示す図である。
【図８】本実施形態におけるカメラ１の一例の静止画／動画同時撮影モードにおける表示装置上の画面表示を示す図である。
【図９】本実施形態におけるカメラ１の一例の静止画／動画の同時撮影時のフォーカスレンズ３０と半透過ミラー３の動作を示す撮影光軸における中央断面図である
【図１０】本実施形態におけるカメラ１の一例の第１撮像手段４と第２撮像手段５の関係を示す撮影光軸における中央断面図である。
【図１１】従来例の組み合わせにより考えられる撮像装置の一例を示す、撮影光軸における中央断面図である。
【発明を実施するための形態】
【００１２】
以下に、本発明の好ましい実施の形態を添付の図面に基づいて詳細に説明する。また、各図面において共通する部分には同一の符号を付す。
【００１３】
［第１実施形態］
まず、図１から図３を参照して、本発明の第１の実施形態の主な構成を説明する。
【００１４】
図１は本実施形態におけるカメラ１の正面・背面斜視図である。図２は本実施形態におけるカメラ１の主要電気回路構成を示すブロック図である。また、図３は本実施形態におけるカメラ１のミラー位置と第２撮像手段５の撮影領域の対応関係を示す、撮影光軸における中央断面図である。
【００１５】
カメラ１には着脱可能な撮影レンズユニット２が取り付けられており、撮影レンズユニット内にはフォーカスレンズ３０、フォーカスレンズ３０を駆動するためのレンズ駆動手段３１を有する。撮影レンズユニット２から入射した光束は、撮影光軸Ａ−Ａに対して斜設された半透過ミラー３に入射する。半透過ミラー３はミラー駆動手段１７により撮影光軸Ａ−Ａ方向に平行に移動可能に構成されている。ミラー駆動手段１７は、リードスクリューやラックギヤ等の機構を用いる。また、透過ミラー３の位置はミラー位置検出センサ３３によって検出される。ミラー位置検出センサ３３はロータリーエンコーダ等で構成されている。
【００１６】
半透過ミラー３に入射した光束の一部は半透過ミラー３を透過し、カメラ１の内部にある第１撮像手段４に結像するよう構成されている。また半透過ミラー３に入射した残りの光束は半透過ミラー３によって反射し、第２撮像手段５に結像するよう構成されている。ここで、第１撮像手段４と第２撮像手段５は例えばＣＣＤ、ＣＭＯＳ等で構成される。
【００１７】
第１撮像手段４には第１焦点検出センサ２２、第２撮像手段５には第２焦点検出センサ２４が内蔵されている。具体的には、被写体像を光電変換する複数の撮影用画素と位相差検出用の複数の焦点検出用画素から撮像素子が構成され、さらに撮影レンズユニット２の異なる領域を通過した光束を各焦点検出用画素に導く瞳分割手段を有する。そして、第１焦点検出センサ２２、第２焦点検出センサ２４は位相差方式の焦点検出を行う。第１焦点検出センサ２２、第２焦点検出センサ２４から出力される信号は、それぞれ第１焦点駆動回路２３、第２焦点駆動回路２５に供給され、被写体像信号に換算された後、カメラ回路制御マイコン１５に送信される。そして、カメラ回路制御マイコン１５は、被写体像信号に基づいて位相差検出法による焦点検出演算を行う。具体的には、カメラ回路制御マイコン１５は、被写体像信号を用いてデフォーカス量および方向を算出し、算出されたデフォーカス量および方向に従い、レンズ制御回路１９およびレンズ駆動手段３１を介して撮影レンズユニット２内のフォーカスレンズ３０を合焦位置に駆動させる。
【００１８】
なお、本実施形態では第１撮像手段４、第２撮像手段５内に配置された位相差検出方式の焦点検出センサを記載したが、他の配置、他の方式でも良い。例えば、公知の位相差方式の焦点検出ユニットを独立して配置させても良いし、第１撮像手段４、第２撮像手段５による公知のコントラスト方式の焦点検出でも良い。
【００１９】
またフォーカスレンズ３０の位置はレンズ位置検出センサ３２によりカメラ回路制御マイコン１５にフィードバックされる。レンズ位置検出センサ３２はロータリーエンコーダ等で構成されている。
【００２０】
そして、半透過ミラー３を撮影光軸Ａ−Ａ方向に移動させることで、第２撮像手段５の光路長を変化させピント調節を行うことができる。半透過ミラー３はカメラ回路制御マイコン１５によりミラー駆動手段１７を介して駆動する。さらに半透過ミラー３の位置はミラー位置検出センサ３３によりカメラ回路制御マイコン１５にフィードバックされる。ミラー位置検出センサ３３はロータリーエンコーダ等で構成されている。また、半透過ミラー３が撮影光軸Ａ−Ａ方向に平行にａ１、ａ２、ａ３の順に移動すると、第２撮像手段５の撮像領域を対応位置ｂ１、ｂ２、ｂ３に移動（クロップ）する。
【００２１】
第１撮像手段４は第１撮像手段駆動／制御回路６により駆動／制御され、第１撮像手段４から出力されたアナログ信号は第１Ａ／Ｄ変換回路７によりデジタル信号に変換される。また、第２撮像手段５は第２撮像手段駆動／制御回路８により駆動／制御され、第２撮像手段５から出力されたアナログ信号は第２Ａ／Ｄ変換回路９によりデジタル信号に変換される。第１Ａ／Ｄ変換回路７および、第２Ａ／Ｄ変換回路９から出力されたデジタル信号は画像処理回路１０で処理を行い、画像データとして生成される。この画像データはバッファメモリ１１へ保存されたり、表示部材駆動回路１２により液晶等で構成された表示装置１３およびファインダー内表示装置５０に表示される。また表示装置１３およびファインダー内表示装置５０には、撮影モードやレンズの絞り値、シャッタスピード値、ＩＳＯ感度などの各種情報を表示することができる。接眼レンズ５１はファインダー内表示装置５０に表示される画像データや各種情報を拡大して観察することができる。
【００２２】
次に本実施形態のカメラ１は、デジタル回路制御マイコン１４、カメラ回路制御マイコン１５を有する。デジタル回路制御マイコン１４はＣＰＵバスを介して画像処理回路１０、及び表示部材駆動回路１２と通信、データの授受を行い、これらを統括的に制御している。カメラ回路制御マイコン１５は、レリーズ釦７１、動画測距釦７２、動画開始釦７３、その他各種スイッチや釦などの各種操作部材１６の状態の検知や、半透過ミラー３の駆動を行うミラー駆動手段１７の各種演算処理を統括的に行う。また、カメラ回路制御マイコン１５内にはＥＥＰＲＯＭ１８からなるカメラ内設定記憶手段を有し、カメラ１の各種設定値が記録されている。また、カメラ回路制御マイコン１５は、撮影レンズユニット２内のレンズ制御回路１９と、マウント接点２０を介して通信を行っている。マウント接点２０は、撮影レンズユニット２が接続されるとカメラ回路制御マイコン１５へ信号を送信する機能も有する。撮影レンズユニット２内のレンズ内メモリ２１には、レンズの固有情報が記録されており、レンズの焦点距離や画角、絞り量に関する情報等も含まれる。なお、デジタル回路制御マイコン１４とカメラ回路制御マイコン１５は互いに通信を行っており、協調してカメラ１全体の制御を行っている。
【００２３】
また、スイッチセンス回路１６は、各スイッチの操作状態に応じて入力信号をカメラ回路制御マイコン１５に送信する。カメラ１にはレリーズ釦７１が配置されている。レリーズ釦７１は半押し、全押しの２段スイッチとなっており、カメラ１の測距動作や撮影動作等を行うことができる。また、動画測距釦７２、動画開始釦７３、撮影モード設定ダイヤル７４、メインスイッチ７５、各種操作部材１６がスイッチセンス回路７６に接続されている。動画測距釦７２により動画中の測距動作、動画開始釦７３により動画撮影の開始を行うことができる。また、撮影モード設定ダイヤル７４は、カメラ１の各種の撮影モードを設定することができるダイヤルである。
【００２４】
以上が本実施形態におけるカメラ１の主要電気回路構成の概要である。
【００２５】
次に図４から図９を参照して、本実施形態におけるカメラ１の動作について説明する。
【００２６】
図４（ａ）、図４（ｂ）、図４（ｃ）、図４（ｄ）は本実施形態におけるカメラ１の各撮影モードでの動作を示したフローチャートである。また、図５は静止画撮影モード、動画撮影モードにおける表示装置上の画面表示を示す図、図６は静止画／動画同時撮影モードにおける表示装置上の画面表示を示す図である。また、図７は静止画／動画の同時撮影時のフォーカスレンズ３０と半透過ミラー３の動作を示した図である。
【００２７】
まず、図４（ａ）を用いてカメラ１の動作について説明する。
【００２８】
Ｓ２００においてユーザーが撮影モード設定ダイヤル７４を操作することによりモードの選択を行う。
【００２９】
次に、Ｓ２０１においてカメラ１は「静止画撮影モード」が選択されているか否かを判定し、「静止画撮影モード」と判定された場合には「静止画撮影モード」サブルーチンＳ２０４へと進み、そうでない場合にはＳ２０２へと進む。「静止画撮影モード」サブルーチンＳ２０４の動作詳細については各モードの説明にて後述する。
【００３０】
次に、Ｓ２０２においてカメラ１は「動画撮影モード」が選択されているか否かを判定し、「動画撮影モード」と判定された場合には「動画撮影モード」サブルーチンＳ２０５へと進み、そうでない場合にはＳ２０３へと進む。「動画撮影モード」サブルーチンＳ２０５の動作詳細については各モードの説明にて後述する。
【００３１】
次に、Ｓ２０３においてカメラ１は「静止画・動画同時撮影モード」が選択されているか否かを判定し、「静止画／動画同時撮影モード」と判定された場合には「静止画／動画同時撮影モード」サブルーチンＳ２０６へと進む。「静止画／動画同時撮影モード」サブルーチンＳ２０６の動作詳細については各モードの説明にて後述する。
【００３２】
［静止画撮影モード］
次に、図４（ａ）においてサブルーチン「静止画撮影モード」が選択された時の動作詳細について図４（ｂ）を用いて説明する。
【００３３】
Ｓ２０１において静止画モードが選択された場合、Ｓ１０１へと進み静止画撮影待機状態となり、表示装置１３上の表示は図５（ａ）に示すような表示へと切り替わる。図５（ａ）に示すように、表示装置１３には第１撮像手段４の撮影範囲である第１撮像手段撮影領域４０がスルー画像として表示される。このとき測距を行う被写体はユーザーが任意に選択することができる。
【００３４】
次に、Ｓ１０２においてレリーズ釦７１の半押し操作により第１撮像手段４の測距指示を行うと、Ｓ１０３において図５（ｂ）に示すような表示となり、第１撮像手段４の合焦位置を示す第１撮像手段合焦点４０ａが表示される。また、第１撮像手段４は第１撮像手段合焦点４０ａで選択された被写体に対し、フォーカスレンズ３０を駆動して静止画測距動作を行う。静止画測距動作では、レリーズ釦７１の半押し中に連続的に測距を行い、測距毎にピントのズレ量を検出し、被写体のピント移動方向を検出することで、被写体の移動方向を予測する。さらに、カメラ１のレリーズタイムラグ等を考慮して撮影時に被写体に対してピントが一致するようにフォーカスレンズ制御を行う。
【００３５】
ここで、静止画測距動作時の測距動作の一例を図６に示す。横軸を時間ｔ、縦軸を像面位置ｘとし、像面位置ｘを二近似可能と仮定した場合のフォーカスレンズ３０に動作を示したものである。このとき図６に示すように、静止画測距動作ではレリーズタイムラグでの被写体の移動距離を考慮し駆動させる。したがってフォーカスレンズは図６に示すレリーズタイムラグを考慮した理想の像面位置に向かって移動する。
【００３６】
そして、Ｓ１０４においてレリーズ釦７１の全押し操作を行うと、Ｓ１０５において第１撮像手段４により静止画撮影を行う。そしてＳ２０７においてカメラ回路制御マイコン１５は電源のＯＮ、ＯＦＦを判定する。電源ＯＮの場合、Ｓ２０１へと戻り、電源ＯＦＦの場合には処理を終了する。
【００３７】
［動画撮影モード］
次に、図４（ａ）においてサブルーチン「動画撮影モード」が選択された時の動作詳細について図４（ｃ）を用いて説明する。
【００３８】
Ｓ２０２において動画モードが選択された場合、Ｓ１０６へと進み動画撮影待機状態となり、表示装置１３上の表示は図５（ａ）に示すような表示へと切り替わる。図５（ａ）に示すように、表示装置１３には第１撮像手段４の第１撮像手段撮影領域４０がスルー画像として表示される。このとき測距を行う被写体はユーザーが任意に選択することができる。
【００３９】
次に、Ｓ１０７において選択した被写体に対して測距指示操作を行うと、Ｓ１０８において図５（ｂ）に示すような表示となり、第１撮像手段４の合焦位置を示す第１撮像手段合焦点４０ａが表示される。また、第１撮像手段４はフォーカスレンズにより第１撮像手段合焦点４０ａで選択された被写体に追従する動画測距動作を行う。動画測距動作では、顔認識や色認識等の公知の技術を用いて選択された被写体に対し連続して測距動作を行う。そして、測距毎にピントのズレ量を検出し、フォーカスレンズ制御を行う。ここで、動画測距動作時の測距動作の一例を図７に示す。ｘ軸は物体までの距離、ｙ軸はフォーカスレンズ３０の移動量を示す。また、レリーズ時の被写体までの合焦距離をＬとし、さらに被写体は常に移動していると仮定する。横軸を時間ｔ、縦軸を像面位置ｘとし、像面位置ｘを二近似可能と仮定した場合のフォーカスレンズ３０に動作を示したものである。このとき図７に示すように、動画測距動作ではフォーカスレンズは実際の像面位置に向かって移動する。
【００４０】
このように、静止画撮影では撮影の瞬間に被写体にピント合わせることを重視するのに対し、動画撮影では被写体に対し常にピントを合わせつつ、また動画に違和感を与えない滑らかな動作を重視するため、それぞれ違うフォーカスレンズ制御となる。
【００４１】
そして、Ｓ１０９において動画開始／終了釦７３の操作を行うと、Ｓ１１０において動画撮撮影を開始する。そしてＳ１１１において再度動画開始／終了釦７３を操作すると、Ｓ１１２において動画撮影を終了する。そして、Ｓ２０８においてカメラ回路制御マイコン１５は電源のＯＮ、ＯＦＦを判定する。電源ＯＮの場合、Ｓ２０２に戻り、電源ＯＦＦの場合には処理を終了する。
【００４２】
［静止画／動画同時撮影モード］
次に、図４（ａ）においてサブルーチン「静止画／動画同時撮影モード」が選択された時の動作詳細について図４（ｄ）を用いて説明する。
【００４３】
Ｓ２０３において静止画／動画同時撮影モードが選択された場合、Ｓ１１３へと進み動画撮影待機状態となり、表示装置１３上の表示は図８（ａ）に示すような表示へと切り替わる。図８（ａ）に示すように、表示装置１３には第２撮像手段５の第２撮像手段撮影領域４１がスルー画像として表示される。このとき測距を行う被写体はユーザーが任意に選択することができる。
【００４４】
次に、Ｓ１１４において選択した被写体に対して測距指示操作を行うと、Ｓ１１５において図７（ｂ）に示すような表示となり、第２撮像手段５の合焦位置を示す第２撮像手段合焦点４１ａが表示される。また、第２撮像手段５はフォーカスレンズにより第２撮像手段合焦点４１ａで選択された被写体に追従するように動画測距動作を行う。
次に、Ｓ１１６において動画開始釦７３の操作を行うと、Ｓ１１７において第２撮像手段５による動画撮影を開始する。
【００４５】
次に、Ｓ１１８においてレリーズ釦７１の半押し操作を行うと、Ｓ１１９において静止画／動画の同時撮影画面となり、表示装置１３上の表示は図８（ｃ）に示すような表示へと切り替わる。また、このとき第１撮像手段４は静止画撮影用、第２撮像手段５は動画撮影用として撮像を行う。
【００４６】
図８（ｃ）に示すように、表示装置１３には第１撮像手段４の第１撮像手段撮影領域４０がスルー画像として表示される。さらに、第２撮像手段５の第２撮像手段撮影領域４１を示す第２撮像手段撮影領域枠４１ｂが表示される。また、第１撮像手段４の合焦位置を示す第１撮像手段合焦点４０ａ、第２撮像手段５の合焦位置を示す第２撮像手段合焦点４１ａが表示される。第１撮像手段合焦点４０ａの初期位置は、第２撮像手段合焦点４１ａと同じ位置に表示される。ここで、図８（ｄ）に示すように、第１撮像手段合焦点４０ａと第２撮像手段合焦点４１ａの位置はユーザーがそれぞれ任意に操作することもでき、別々の動画と静止画で別々の被写体に測距を行うこともできる。このときには、第２撮像手段合焦点４１ａは表示位置のみが合っており、スルー画像の表示上では被写体のピントは合っていない。
【００４７】
そして、Ｓ１２０において第１撮像手段４は第１撮像手段合焦点４０ａにおける静止画測距動作を行う。このときの第１撮像手段４の測距動作は、撮影レンズユニット２内のフォーカスレンズ３０の駆動により行う。
【００４８】
同時に、Ｓ１２１において第２撮像手段５の動画測距動作制御を、フォーカスレンズ駆動から半透過ミラー３駆動に切り替える。そして、半透過ミラー３は静止画測距動作のためのフォーカスレンズ３０の駆動による、第２撮像手段５の合焦面の変化打ち消し動作と、第２撮像手段合焦点４１ａで選択された被写体に対して合焦し続ける動画測距動作を同時に行う。
【００４９】
ここで、第２撮像手段５の合焦面の変化を打ち消す動作について図９（ａ）（ｂ）を用いて説明する。図９（ａ）に示すように、Ｓ１２１における初期のフォーカスレンズ３０の位置をｃ１とする。このとき半透過ミラー３の初期位置は駆動可能範囲の中央ａ１とする。またこのとき、図９（ｂ）に示すように、第２撮像手段５の撮像領域がｂ１となるように撮像領域をクロップする。
【００５０】
次に、第１撮像手段４の合焦面を無限遠方向に移動させる場合、フォーカスレンズ３０をｃ２へと移動させる。フォーカスレンズ３０の移動により、第２撮像手段５の合焦面も無限遠方向に移動する。ここで同時に半透過ミラー３はａ２へと移動させ、第２撮像手段の合焦面を至近端方向へと移動させる。この半透過ミラー３の動作によりフォーカスレンズ３０の移動による第２撮像手段の合焦面の変化をキャンセルすることができる。さらに同時に第２撮像手段５の撮像領域がｂ２となるように撮像領域をクロップする。このように半透過ミラー３の移動に合わせて、クロップ領域を移動させることで第２撮像手段５で撮影される画像の構図の変化をキャンセルすることができる。
【００５１】
同様に、第１撮像手段４合焦面を至近端方向に移動させる場合、フォーカスレンズ３０はｃ３へと移動し、同時に半透過ミラー３はａ３へと移動する。これにより、フォーカスレンズ３０の移動による第２撮像手段の合焦面変化をキャンセルすることができる。さらに、さらに同時に第２撮像手段５の撮像領域がｂ３となるようにクロップ領域を移動させることで第２撮像手段５で撮影される画像の構図の変化をキャンセルすることができる。
【００５２】
上述の動作により、動画撮影時に静止画測距を行う場合でも、それぞれの測距動作を独立させることが可能となる。つまり、第１撮像手段４では静止画撮影のための最適な測距動作を行いつつ、第２撮像手段５では動画撮影のための最適な測距動作を行うことができる。またさらに、それぞれの測距動作を独立させることが可能できるため、静止画・動画のそれぞれで別々の被写体を撮影することも可能となる。
【００５３】
次に、Ｓ１２２においてレリーズ釦７１の全押し操作を行うとＳ１２３へと進み第１撮像手段４により静止画撮影を行う。そして静止画撮影を行った後、一定時間レリーズ釦７１の操作が行われない場合、Ｓ１２４において静止画／動画の同時撮影モード表示を終了し、表示装置１３には図８（ｂ）に示すような動画撮影用の第２撮像手段５のスルー画像が表示される。また同時に、Ｓ１２５において半透過ミラー３は初期位置である駆動可能範囲の中央ａ１に（図３参照）移動する。また同時に、半透過ミラー３の駆動に合わせて、フォーカスレンズ３０は第２撮像手段５の合焦面の変化を打ち消しつつ、第２撮像手段合焦点４１ａで選択された被写体に対して動画測距動作を行う。
【００５４】
そして半透過ミラー３が初期位置ａ１に戻ったあと、Ｓ１２６においてフォーカスレンズ３０の駆動により動画測距動作を続行する。
【００５５】
これにより、動画のピントを移動させることなく、半透過ミラー３を初期位置ａ１に戻し、次の静止画／動画の同時撮影に備えることができる。そして、Ｓ１２７において動画開始／終了釦７３を操作すると、Ｓ１２８において動画撮影を終了する。そして、Ｓ２０９においてカメラ回路制御マイコン１５は電源のＯＮ、ＯＦＦを判定する。電源ＯＮの場合、Ｓ２０３に戻り、電源ＯＦＦの場合には処理を終了する。
【００５６】
次に、図１０を参照して、第１撮像手段４と第２撮像手段５の配置レイアウトに関しての好ましい形態について説明する。図１０は第１撮像手段４と第２撮像手段５の関係を示す撮影光軸における断面図である。
【００５７】
また、第２撮像手段５の撮像領域をクロップする際、図８（ｃ）に示すように第１撮像手段撮影領域４０と第２撮像手段撮影領域４１は画像データの再生時に違和感を出さないために、同じ縦横比であることが望ましい。
【００５８】
そこで、図１０に示すように、第１撮像手段４と第２撮像手段５の関係として、第１撮像手段４の垂直な辺４ａを水平な辺４ｂで割った値よりも、第２撮像手段５の撮影光軸方向に平行な辺５ｄを撮影光軸方向に垂直な辺５ｃで割った値を大きくすることが好ましい。これにより、第２撮像手段５の撮像領域を第１撮像手段撮影領域４０と同じ縦横比でクロップを行った場合に、撮影光軸方向により大きな非撮像領域ｂ４、ｂ５を設けることが可能となる。したがって、第２撮像手段５の撮影光軸方向に垂直な辺５ｃの長さを最小限に抑えつつ、半透過ミラー３の移動に対して第２撮像手段５の撮像領域の追従性も確保することが可能となる。
【００５９】
以上、本発明の好ましい実施形態について説明したが、本発明はこれらの実施形態に限定されず、その要旨の範囲内で種々の変形及び変更が可能である。
【符号の説明】
【００６０】
１  カメラ、２  撮影レンズユニット、３  半透過ミラー、４  第１撮像手段、
５  第２撮像手段、１５  カメラ回路制御マイコン、１７  ミラー駆動手段、
１９  レンズ制御回路、３０  フォーカスレンズ、３１  レンズ駆動手段、
３２  レンズ位置検出センサ、３３  ミラー位置検出センサ
【図１】
2017118214.tif 000003
【図２】
2017118214.tif 000004
【図３】
2017118214.tif 000005
【図４（ａ）】
2017118214.tif 000006
【図４（ｂ）】
2017118214.tif 000007
【図４（ｃ）】
2017118214.tif 000008
【図４（ｄ）】
2017118214.tif 000009
【図５】
2017118214.tif 000010
【図６】
2017118214.tif 000011
【図７】
2017118214.tif 000012
【図８】
2017118214.tif 000013
【図９】
2017118214.tif 000014
【図１０】
2017118214.tif 000015
【図１１】
2017118214.tif 000016